(57)【要約】【課題】断熱効果を発揮でき、しかも型枠の吊り下げ作業や固定作業あるいは型枠同士の連結作業が容易に行えるプラスチック製型枠用の発泡性断熱体を提供する。【解決手段】コンクリート打設面４ａを有する矩形状の平板部４と、コンクリート打設面４ａとは反対側の背面４ｂの４辺に沿って設けられ、フックボルト及びクリップのうちの少なくとも一方を取り付けるための取付孔Ｈが形成される周縁リブ５と、周縁リブ５で囲まれる内部を多数の枡に仕切るための仕切用リブ１５〜２２とを備え、取付孔Ｈへのフックボルト及びクリップの挿入を許容すべく周縁リブ側に位置する外側部分１Ａを周縁リブ５から離間する内側部分１Ｂよりも低くした。【選択図】  図４
2015194026.tif 000002
【特許請求の範囲】
【請求項１】
コンクリート打設面を有する矩形状の平板部と、コンクリート打設面とは反対側の背面の４辺に沿って設けられ、フックボルト及びクリップのうちの少なくとも一方を取り付けるための取付孔が形成される周縁リブと、周縁リブで囲まれる内部を多数の枡に仕切るための仕切用リブとを備えてなるプラスチック製型枠の、前記枡に収容されるプラスチック製型枠用の発泡性断熱体であって、
前記取付孔への前記フックボルト及びクリップのうちの少なくとも一方の挿入を許容すべく前記周縁リブ側に位置する外側部分を該周縁リブから離間する内側部分よりも低くしたことを特徴とするプラスチック製型枠用の発泡性断熱体。
【請求項２】
前記枡が、型枠の幅方向両端に位置する第１枡と、型枠の幅方向中間に位置する第２枡とを備え、前記第１枡の幅が前記第２枡の幅よりも大きく設定され、それら第１枡及び第２枡に収容される幅に構成された第１発泡性断熱体及び第２発泡性断熱体を備え、前記第１発泡性断熱体の幅が前記第２発泡性断熱体の幅よりも大きく設定され、該第１発泡性断熱体が、長手方向両端に位置し、かつ、前記取付孔よりも低い高さを有する平板状の両端部分と、該両端部分の間に位置し、かつ、幅方向外側端から幅方向内側端に向かうほど高くなる傾斜面を有する略三角形状の本体部とを備えていることを特徴とする請求項１に記載のプラスチック製型枠用の発泡性断熱体。
【請求項３】
前記周縁リブと前記仕切用リブとが前記平板部から同一高さに設定され、前記枡に収容された状態において前記周縁リブ及び前記仕切用リブから突出する高さに構成されていることを特徴とする請求項１又は２に記載のプラスチック製型枠用の発泡性断熱体。
【発明の詳細な説明】
【技術分野】
【０００１】
本発明は、プラスチック製型枠に用いられるプラスチック製型枠用の発泡性断熱体に関する。
【背景技術】
【０００２】
従来から、ベニヤ板とベニヤ板の外周に取り付けられる補強用の枠体からなる木製の型枠が使用されている。この木製の型枠は、耐久性が低いため、数回の使用で廃棄処分となる。そのため、近年において耐久性に有利なプラスチック製型枠が提案されている。
【０００３】
ところで、冬場の気温が低い時期に、上記プラスチック製型枠を用いてコンクリートを打設して硬化させると、急激にコンクリートの温度が下がってしまい、ヒビや割れが入ってしまうことがある。これを解決するために近年では、断熱効果のある型枠が提案されている。これは、合成樹脂発泡体でなる断熱板と、この断熱板の一方の面に形成の凹溝に埋め込まれる補強用の桟木とから構成されている（例えば、特許文献１参照）。
【先行技術文献】
【特許文献】
【０００４】
【特許文献１】特許第３４４１４３４号公報
【発明の概要】
【発明が解決しようとする課題】
【０００５】
上記特許文献１の型枠は、断熱効果を発揮できるものの、型枠を吊り下げる、あるいは横パイプに型枠を固定するためのフックボルトや、型枠同士を連結するためのクリップを取り付けるための取付孔を備えていない。そのため、型枠の吊り下げ作業や固定作業あるいは型枠同士の連結作業がやり難いものであり、改善の余地があった。
【０００６】
そこで、本発明は、かかる事情に鑑みてなされたもので、断熱効果を発揮でき、しかも型枠の吊り下げ作業や固定作業あるいは型枠同士の連結作業が容易に行えるプラスチック製型枠用の発泡性断熱体を提供することを課題とする。
【課題を解決するための手段】
【０００７】
本発明に係るプラスチック製型枠用の発泡性断熱体は、コンクリート打設面を有する矩形状の平板部と、コンクリート打設面とは反対側の背面の４辺に沿って設けられ、フックボルト及びクリップのうちの少なくとも一方を取り付けるための取付孔が形成される周縁リブと、周縁リブで囲まれる内部を多数の枡に仕切るための仕切用リブとを備えてなるプラスチック製型枠の、前記枡に収容されるプラスチック製型枠用の発泡性断熱体であって、前記取付孔への前記フックボルト及びクリップのうちの少なくとも一方の挿入を許容すべく前記周縁リブ側に位置する外側部分を該周縁リブから離間する内側部分よりも低くしたことを特徴とする。
【０００８】
本発明によれば、枡に発泡性断熱体を収容することによって、断熱効果を発揮させることができる。しかも、その発泡性断熱体の外側部分を内側部分よりも低くすることによって、発泡性断熱体に邪魔されることなくフックボルト及びクリップを取付孔へ挿入することができる。よって、型枠の吊り下げ作業や固定作業あるいは型枠同士の連結作業をスムーズに行うことができる。
【０００９】
また、本発明に係るプラスチック製型枠用の発泡性断熱体は、前記枡が、型枠の幅方向両端に位置する第１枡と、型枠の幅方向中間に位置する第２枡とを備え、前記第１枡の幅が前記第２枡の幅よりも大きく設定され、それら第１枡及び第２枡に収容される幅に構成された第１発泡性断熱体及び第２発泡性断熱体を備え、前記第１発泡性断熱体の幅が前記第２発泡性断熱体の幅よりも大きく設定され、該第１発泡性断熱体が、長手方向両端に位置し、かつ、前記取付孔よりも低い高さを有する平板状の両端部分と、該両端部分の間に位置し、かつ、幅方向外側端から幅方向内側端に向かうほど高くなる傾斜面を有する略三角形状の本体部とを備えていてもよい。
【００１０】
上記のように、第１発泡性断熱体の幅が前記第２発泡性断熱体の幅よりも大きく設定されていることから、幅方向外側端から幅方向内側端に向かうほど高くなる傾斜面の角度を比較的緩やかに設定することができ、フックボルト及びクリップを取付孔へ確実に挿入することができるスペースを確保することができる。しかも、平板状の両端部分を備えることによって断熱効果を発揮させながらも、略三角形状の本体部によって幅方向外側端から幅方向内側端に向かうほど発泡性断熱体の厚みが厚くなり、断熱効果を高めることができる。
【００１１】
また、本発明に係るプラスチック製型枠用の発泡性断熱体は、前記周縁リブと前記仕切用リブとが前記平板部から同一高さに設定され、前記枡に収容された状態において前記周縁リブ及び前記仕切用リブから突出する高さに構成されていてもよい。
【００１２】
かかる構成によれば、発泡性断熱体の内側部分を周縁リブ及び仕切用リブから突出する高さに設定することによって、断熱効果を高めることができながらも、枡からの発泡性断熱体の取り出し作業を行い易い。
【発明の効果】
【００１３】
以上の如く、本発明によれば、取付孔へのフックボルト及びクリップの挿入を許容すべく外側部分を内側部分よりも低くすることによって、型枠の吊り下げ作業や固定作業あるいは型枠同士の連結作業が容易に行えるプラスチック製型枠用の発泡性断熱体を提供することができる。
【図面の簡単な説明】
【００１４】
【図１】型枠に本発明の第１実施形態の発泡性断熱体を嵌め込んだ状態の型枠の背面図である。
【図２】（ａ）は図１におけるＡ−Ａ線断面図、（ｂ）は（ａ）の型枠の収容部に発泡性断熱体を嵌め込んでいる状態を示す断面図である。
【図３】（ａ）は図１におけるＢ−Ｂ線断面図、（ｂ）は図３（ａ）の型枠の収容部に収容されている発泡性断熱体の斜視図である。
【図４】図１におけるＣ−Ｃ線断面図である。
【図５】他の構成の型枠に本発明の第２実施形態の発泡性断熱体を嵌め込んだ状態の型枠の背面図である。
【図６】図５におけるＤ−Ｄ線断面図である。
【図７】（ａ）は図５におけるＥ−Ｅ線断面図、（ｂ）は図７（ａ）の型枠の収容部に収容されている発泡性断熱体の斜視図である。
【図８】図５におけるＦ−Ｆ線断面図である。
【発明を実施するための形態】
【００１５】
以下、本発明に係るプラスチック製の型枠用の発泡性断熱体の一実施形態について、図１〜図４に基づいて説明する。
【００１６】
＜第一実施形態＞
図１は、９個の発泡性断熱体１，２を収容して断熱性を有するプラスチック製の型枠３を背面側から見た図を示している。型枠３が上下方向に長い縦長状であるため、図１では、型枠３の上側半分のみを図示しており、下側半分も上側半分と同様である。
【００１７】
型枠３は、コンクリート打設面４ａを有する矩形状（長方形状）の平板部４と、コンクリート打設面４ａとは反対側の背面４ｂの４辺に沿って設けられた周縁リブ５と、周縁リブ５で囲まれる内部を多数（ここでは９個）の細長い枡６，７，８，９，１０，１１，１２，１３，１４に仕切るための多数（ここでは８枚）の仕切用リブ１５，１６，１７，１８，１９，２０，２１，２２とを備えている。左右幅方向両端に位置する２個の両端の第１枡６，１４がほぼ同一の横幅（左右幅）を有し、残りの左右幅方向中間に位置する７個の第２枡７，８，９，１０，１１，１２，１３がほぼ同一の横幅（左右幅）を有している。第１枡６，１４の横幅（左右幅）が、第２枡７，８，９，１０，１１，１２，１３の横幅（左右幅）よりも大きく設定されている。周縁リブ５と仕切用リブ１５，１６，１７，１８，１９，２０，２１，２２とが同一高さに構成されている。尚、各枡６，７，８，９，１０，１１，１２，１３，１４に収容する発泡性断熱体１，２の長さは、型枠３の上下寸法全域に亘る長さに構成してもよいし、型枠３の上下寸法の２分の１の寸法のものや３分の１の寸法のもの等、どのような寸法（長さ）であってもよいが、ここでは、各枡６，７，８，９，１０，１１，１２，１３，１４を一本の発泡性断熱体１又は２で埋めることができる長尺なものについて説明する。
【００１８】
周縁リブ５は、４枚の板状のリブからなり、上側リブ５Ａと、下側リブ（図示せず）と、左側リブ５Ｃと、右側リブ５Ｄとを備えている。そして、図１に示すように、上側リブ５Ａと、左側リブ５Ｃと、右側リブ５Ｄに、フックボルト及びクリップを取り付けるための多数の取付孔Ｈが形成されている。尚、図示していないが、下側リブにも取付孔が形成されている。
【００１９】
左右方向両端に位置する２個の発泡性断熱体１のそれぞれは、第１枡６，１４に収容されるよう第１枡６，１４よりも小さく構成された第１細長いブロック体から構成されている。残りの７個の発泡性断熱体２のそれぞれは、第２枡７，８，９，１０，１１，１２，１３に収容されるよう第２枡７，８，９，１０，１１，１２，１３よりも小さく構成された第２細長いブロック体から構成されている。第１細長いブロック体１の横幅（左右幅）が、第２細長いブロック体２の横幅（左右幅）よりも大きく設定されている。また、発泡性断熱体１，２は、ポリスチレン発泡体、ポリエチレン発泡体、ポリプロピレン発泡体、硬質ウレタン発泡体、フェノール発泡体、イソシアネート発泡体、エポキシ発泡体等を用いることができる。尚、発泡倍率は、適宜自由に変更できる。
【００２０】
第１細長いブロック体１は、図１、図３（ａ），（ｂ）及び図４に示すように、長手方向両端に位置し、かつ、前記取付孔Ｈよりも低い高さを有する平板状の両端部分１Ａ，１Ａ（図では一方のみ図示している）と、両端部分１Ａ，１Ａの間に位置し、かつ、幅方向外側端から幅方向内側端に向かうほど高くなる傾斜面１Ｓを有する略三角形状の本体部１Ｂとを備えている。前記本体部１Ｂの長手方向両端に、長手方向中央に向うほど高くなる傾斜面１Ｒが形成されている。また、本体部１Ｂの左右幅方向内側端面１ｂが、仕切用リブ１５又は２２との間に隙間Ｎ１が形成されるように凹んでおり、その隙間Ｎ１に指を入れて本体部１Ｂの上端部１Ｔを容易に掴むことができる。前記平板状の両端部分１Ａ，１Ａと本体部１Ｂにおける取付孔Ｈよりも低い部分１Ｂ１とを、周縁リブ５側に位置する外側部分とする。また、本体部１Ｂにおける取付孔Ｈから高い部分１Ｂ２を、周縁リブ５から離間する内側部分とする。
【００２１】
第２細長いブロック体２は、図１、図２（ａ），（ｂ）及び図４に示すように、長手方向両端に位置し、かつ、前記取付孔Ｈよりも低い高さを有する平板状の両端部分２Ａ，２Ａ（図では一方のみ図示している）と、両端部分２Ａ，２Ａの間に位置し、両端部分２Ａ，２Ａよりも高く形成された角型状の本体部２Ｂとを備えている。前記本体部２Ｂの長手方向両端に、両端部分２Ａ，２Ａから上方に徐々に立ち上がる傾斜面２Ｒ，２Ｒ（図では一方のみ図示している）が形成されている。前記両端部分２Ａ，２Ａから、周縁リブ５側に位置する外側部分を構成している。また、前記本体部２Ｂから、周縁リブ５から離間する内側部分を構成している。
【００２２】
また、第１細長いブロック体１及び第２細長いブロック体２が、周縁リブ５及び仕切用リブ１５〜２２から突出する高さに構成されている。これによって、断熱効果を高めることができながらも、枡６〜１４からの発泡性断熱体１，２の取り出し作業を行い易い。発泡性断熱体１，２の取り出しは、発泡性断熱体を新たな発泡性断熱体に交換する時に行うことになるが、断熱を必要としない時期にも発泡性断熱体１，２を取り出しておくこともできる。
【００２３】
前述したように、第１細長いブロック体１の左右幅が第２細長いブロック体２の左右幅よりも大きく設定されていることから、第１細長いブロック体１の本体部１Ｂの傾斜面１Ｓ（図４参照）の角度を比較的緩やかに設定することができ、フックボルト及びクリップを取付孔Ｈへ確実に挿入することができるスペースＭを確保することができる。従って、図１及び図４に示すように、前記スペースＭを利用することによって、左右方向で隣り合う型枠３，３の孔Ｈ，ＨにクリップＫを容易かつ迅速に挿入することができ、両型枠３，３同士をクリップＫで迅速に連結することができる。しかも、平板状の両端部分１Ａ，１Ａを備えることによって断熱効果を発揮させながらも、略三角形状の本体部１Ｂによって幅方向外側端から幅方向内側端に向かうほど発泡性断熱体の厚みが厚くなり、断熱効果を高めることができる。
【００２４】
型枠３には、左右方向で隣り合う周縁リブ５Ｃ又は５Ｄと仕切用リブ１５又は２２との間を長手方向で所定間隔置きに連結する多数（図１では１０個）の第１補強用リブ２３と、左右方向で隣り合う仕切用リブ１５，１６又は１６，１７又は１７，１８又は１８，１９又は１９，２０又は２０，２１又は２１，２２同士間を長手方向で所定間隔置きに連結する多数（図１では１０個）の第２補強用リブ２４とを備えている。図４に示すように、右側に位置する第１補強用リブ２３は、左右方向一端に位置し仕切用リブ１５の高さまで立ち上がった一端部分２３Ａと、左右方向他端に位置し周縁リブ５の高さ付近まで立ち上がった他端部分２３Ｂと、両端部分２３Ａ，２３Ｂ間に位置し仕切用リブ１５及び周縁リブ５の高さ寸法よりも低い高さ（ここでは半分以下の高さ）に構成された中間部分２３Ｃとを備えている。また、右から２番目に位置する第２補強用リブ２４は、左右方向両端に位置し仕切用リブ１６，１７の高さまで立ち上がった両端部分２４Ａ，２４Ａと、両端部分２４Ａ，２４Ａ間に位置し仕切用リブ１６，１７の高さよりも低い高さ（ここでは半分以下の高さ）に構成された中間部分２４Ｂを備えている。説明しなかった他の第１補強用リブ２４も同一構成である。
【００２５】
また、第１細長いブロック体１の底部及び第２細長いブロック体２の底部には、細長い枡６〜１４に収容する際に折り曲げを容易にするための多数のスリット２５及び２６が形成されている。各スリット２５又は２６は、細長いブロック体１又は２の左右幅方向に延びるように形成され、かつ、細長いブロック体１又は２の長手方向に所定間隔を置いて形成されている。各スリット２５又は２６は、第１補強用リブ２３又は第２補強用リブ２４に対応するように形成されている。また、各スリット２５又は２６は、第１補強用リブ２３又は第２補強用リブ２４に係止する第１スリット２５Ａ又は２６Ａと、第１補強用リブ２３又は第２補強用リブ２４に係止しない第２スリット２５Ｂ又は２６Ｂとを備えている。
【００２６】
換言すれば、第１スリット２５Ａ又は２６Ａが第１補強用リブ２３又は第２補強用リブ２４に係止するように、第１スリット２５Ａ又は２６Ａの細長いブロック体の長手方向における寸法が第１補強用リブ２３又は第２補強用リブ２４の細長いブロック体の長手方向における寸法よりも僅かに大きな寸法に構成されている。具体的には、図３（ａ），（ｂ）に示すように、一方の第１細長いブロック体１の第１スリット２５Ａが、断面が縦長の長方形状の第１補強用リブ２３よりも僅かに大きな縦長の長方形状の空間が形成されるスリットに形成され、第１スリット２５Ａが第１補強用リブ２３に入り込んで係止する。また、第１細長いブロック体１の第２スリット２５Ｂが、断面が縦長の長方形状の第１補強用リブ２３よりも遥かに大きな台形状の空間が形成されるスリットに形成され、第２スリット２５Ｂが第１補強用リブ２３を覆うだけで第１補強用リブ２３に係止しない。また、他方の第２細長いブロック体２の第１スリット２６Ａが、断面が縦長の長方形状の第２補強用リブ２４よりも僅かに大きな台形状の空間が形成されるスリットに形成され、第１スリット２５Ａが第２補強用リブ２４に入り込んで第１スリット２５Ａの上端部の狭い空間が第２補強用リブ２４の上端部に係止する。また、第２細長いブロック体２の第２スリット２６Ｂが、長手方向に大きな寸法を有する断面が横長の（断熱体２の長手方向に長い）長方形状の角型部分２６ｂと角型部分２６ｂの上端から上方に延びる台形状の台形部分２６ｃとからなり、第２補強用リブ２４よりも遥かに大きな形状に形成され、第２スリット２６Ｂが第２補強用リブ２４を覆うだけで第２補強用リブ２４に係止しない。これら第１スリット２５Ａ又は２６Ａと第２スリット２５Ｂ又は２６Ｂとを、第１細長いブロック体１又は第２細長いブロック体２の長手方向において交互に備えている。
【００２７】
従って、第１細長いブロック体１（又は第２細長いブロック体２）が、スリット２５（又はスリット２６）を備えることによって、第１細長いブロック体１又は第２細長いブロック体２を枡６〜１４に収容する際に、第１細長いブロック体１（又は第２細長いブロック体２）がスリット２５（又はスリット２６）で折り曲げられてしなることができる。尚、図２（ｂ）の二点鎖線で第２細長いブロック体２がスリット２６で折り曲げられてしなっている状態を示している。よって、第１細長いブロック体１又は第２細長いブロック体２にヒビや割れ等が発生し難く、枡６〜１４に良好に収容することができる。
【００２８】
また、第１細長いブロック体１又は第２細長いブロック体２を枡６〜１４に収容すると、第１スリット２５Ａ又は２６Ａが、第１補強用リブ２３又は第２補強用リブ２４に係止することによって、細長い第１細長いブロック体１又は第２細長いブロック体２を型枠３に確実に保持させることができる。また、第１細長いブロック体１又は第２細長いブロック体２を枡６〜１４に収容する際に、第２スリット２５Ｂ又は２６Ｂが第１補強用リブ２３又は第２補強用リブ２４に係止することがないから、第１細長いブロック体１又は第２細長いブロック体２を枡６〜１４にスムーズに収容することができる。更に、第１スリット２５Ａ又は２６Ａと第２スリット２５Ｂ又は２６Ｂとを、第１細長いブロック体１又は第２細長いブロック体２の長手方向において交互に備えることによって、第１スリット２５Ａ又は２６Ａと第１補強用リブ２３又は第２補強用リブ２４との係止により第１細長いブロック体１又は第２細長いブロック体２を確実に型枠３に保持させながらも、第１細長いブロック体１又は第２細長いブロック体２を枡６〜１４にスムーズに収容することができる。
【００２９】
＜第二実施形態＞
次に、本発明に係るプラスチック製の型枠用の発泡性断熱体の第二の実施形態について、図５〜図８に基づいて説明する。第二実施形態の発泡性断熱体は、第一実施形態のものよりも左右幅の寸法及び高さ方向の寸法が共に大きく構成されている。
【００３０】
図５は、７個の発泡性断熱体２７，２８を収容して断熱性を有するプラスチック製の型枠２９を背面側から見た図を示している。型枠２９が上下方向に長い縦長状であるため、図５では、型枠２９の上側半分のみを図示しており、下側半分も上側半分と同様である。
【００３１】
型枠２９は、コンクリート打設面３０ａを有する矩形状（長方形状）の平板部３０と、コンクリート打設面３０ａとは反対側の背面３０ｂの４辺に沿って設けられた周縁リブ３１と、周縁リブ３１で囲まれる内部を多数（ここでは７個）の細長い枡３２，３３，３４，３５，３６，３７，３８に仕切るための多数（ここでは６枚）の仕切用リブ３９，４０，４１，４２，４３，４４とを備えている。左右幅方向両端に位置する２個の両端の第１枡３２，３８がほぼ同一の横幅（左右幅）を有し、残りの左右幅方向中間に位置する５個の第２枡３３，３４，３５，３６，３７がほぼ同一の横幅（左右幅）を有している。第１枡３２，３８の横幅（左右幅）が、第２枡３３，３４，３５，３６，３７の横幅（左右幅）よりも大きく設定されている。周縁リブ３１と仕切用リブ３９，４０，４１，４２，４３，４４とが同一高さに構成されている。第一実施形態と同様に、以下において各枡３２，３３，３４，３５，３６，３７，３８を一本の発泡性断熱体２７又は２８で埋めることができる長尺なものについて説明する。
【００３２】
周縁リブ３１は、４枚の板状のリブからなり、上側リブ３１Ａと、下側リブ（図示せず）と、左側リブ３１Ｃと、右側リブ３１Ｄとを備えている。そして、図１に示すように、上側リブ３１Ａと、左側リブ３１Ｃと、右側リブ３１Ｄに、フックボルト及びクリップを取り付けるための多数の取付孔Ｈが形成されている。尚、図示していないが、下側リブにも取付孔が形成されている。
【００３３】
左右方向両端に位置する２個の発泡性断熱体２７のそれぞれは、第１枡３２，３８に収容される横幅（左右幅）を有する第１細長いブロック体から構成されている。残りの５個の発泡性断熱体２８のそれぞれは、第２枡３３，３４，３５，３６，３７に収容される同一の横幅（左右幅）を有する第２細長いブロック体から構成されている。第１細長いブロック体２７の横幅（左右幅）が、第２細長いブロック体２８の横幅（左右幅）よりも大きく設定されている。また、発泡性断熱体２７，２８は、ポリスチレン発泡体、ポリエチレン発泡体、ポリプロピレン発泡体、硬質ウレタン発泡体、フェノール発泡体、イソシアネート発泡体、エポキシ発泡体等を用いることができる。尚、発泡倍率は、適宜自由に変更できる。
【００３４】
第１細長いブロック体２７は、図５、図７（ａ），（ｂ）及び図８に示すように、長手方向両端に位置し、かつ、前記取付孔Ｈよりも低い高さを有する平板状の両端部分２７Ａ，２７Ａ（図では一方のみ図示している）と、両端部分２７Ａ，２７Ａの間に位置し、かつ、幅方向外側端から幅方向内側端に向かうほど高くなる傾斜面２７Ｓを有する略三角形状の本体部２７Ｂとを備えている。前記本体部２７Ｂの長手方向両端に、長手方向中央に向うほど高くなる傾斜面２７Ｒが形成されている。また、本体部２７Ｂの左右幅方向内側端面２７ｂが、仕切用リブ３９又は４４との間に隙間Ｎ２が形成されるように傾斜しており、その隙間Ｎ２に指を入れて本体部２７Ｂの上端部を容易に掴むことができる。前記平板状の両端部分２７Ａ，２７Ａと本体部２７Ｂにおける取付孔Ｈよりも低い部分２７Ｂ１とを、周縁リブ３１側に位置する外側部分とする。また、本体部１Ｂにおける取付孔Ｈから高い部分２７Ｂ２を、周縁リブ３１から離間する内側部分とする。
【００３５】
第２細長いブロック体２８は、図５、図６及び図８に示すように、長手方向両端に位置し、かつ、前記取付孔Ｈよりも低い高さを有する平板状の両端部分２８Ａ，２８Ａ（図では一方のみ図示している）と、両端部分２８Ａ，２８Ａの間に位置し、両端部分２８Ａ，２８Ａよりも高く形成された角型状の本体部２８Ｂとを備えている。前記本体部２８Ｂの長手方向両端に、両端部分２８Ａ，２８Ａから上方に徐々に立ち上がる傾斜面２８Ｒ，２８Ｒ（図では一方のみ図示している）が形成されている。前記両端部分２８Ａ，２８Ａから、周縁リブ３１側に位置する外側部分を構成している。また、前記本体部２８Ｂから、周縁リブ３１から離間する内側部分を構成している。
【００３６】
また、第１細長いブロック体２７及び第２細長いブロック体２８が、周縁リブ３１及び仕切用リブ３９〜４４から突出する高さに構成されている。これによって、断熱効果を高めることができながらも、枡３２〜３８からの発泡性断熱体２７，２８の取り出し作業を行い易い。発泡性断熱体２７，２８の取り出しは、発泡性断熱体を新たな発泡性断熱体に交換する時に行うことになるが、断熱を必要としない時期にも発泡性断熱体１，２を取り出しておくこともできる。
【００３７】
前述したように、第１細長いブロック体２７の左右幅が第２細長いブロック体２８の左右幅よりも大きく設定されていることから、第１細長いブロック体２７の本体部２７Ｂの傾斜面２７Ｓの角度を比較的緩やかに設定することができ、フックボルト及びクリップを取付孔Ｈへ確実に挿入することができるスペースＭを確保することができる。従って、図８に示すように、前記スペースＭを利用することによって、左右方向で隣り合う型枠２９，２９の孔Ｈ，ＨにクリップＫを容易かつ迅速に挿入することができ、両型枠２９，２９同士を迅速に連結することができる。しかも、平板状の両端部分２７Ａ，２７Ａを備えることによって断熱効果を発揮させながらも、略三角形状の本体部２７Ｂによって幅方向外側端から幅方向内側端に向かうほど発泡性断熱体の厚みが厚くなり、断熱効果を高めることができる。
【００３８】
型枠２９には、左右方向で隣り合う周縁リブ３１Ｃ又は３１Ｄと仕切用リブ３９又は４４との間を長手方向で所定間隔置きに連結する多数（図５では１１個）の第１補強用リブ４５と、左右方向で隣り合う仕切用リブ３９，４０又は４１，４２又は４３，４４同士間を長手方向で所定間隔置きに連結する多数（１１個）の第２補強用リブ４６（左から２番目のみに第２補強用リブ４６を図示しているが、左から４番目と６番目とが同一であるため、左から４番目と６番目には第２補強用リブ４６を図示していない）と、左右方向で隣り合う仕切用リブ４０，４１，４２又は４２，４３同士間を長手方向で所定間隔置きに連結する多数（１１個）の第３補強用リブ４７（左から３番目のみに第３補強用リブ４７を図示しているが、左から５番目が同一であるため、左から５番目には第３補強用リブ４７を図示していない）とを備えている。第１補強用リブ４５は、図８に示すように、左右方向一端側に位置し仕切用リブ３９，４４の高さ付近まで立ち上がった一端部分４５Ａと、この一端部４５Ａから周縁リブ３１まで同一高さで連結し仕切用リブ３９，４４及び周縁リブ３１の高さ寸法よりも低い高さ（ここでは半分以下の高さ）に構成された本体部分４５Ｂとを備えている。第２補強用リブ４６は、左右方向両端に位置し仕切用リブ３９，４０の高さまで立ち上がった両端部分４６Ａ，４６Ａと、両端部分４６Ａ，４６Ａ間に位置し仕切用リブ３９，４０の高さよりも低い高さ（ここでは半分以下の高さ）に構成された中間部分４６Ｂとを備えている。また、第３補強用リブ４７は、左右方向両端に位置し仕切用リブ４０，４１の高さまで立ち上がった両端部分４７Ａ，４７Ａと、両端部分４７Ａ，４７Ａ間に位置し仕切用リブ４０，４１の高さよりも低い高さ（ここでは半分以下の高さ）に構成された中間部分４７Ｂとを備えている。第２補強用リブ４６と第３補強用リブ４７とが同一構成であるため、以下において第２補強用リブ４６についてのみ説明する。
【００３９】
また、第１細長いブロック体２７の底部及び第２細長いブロック体２８の底部には、細長い枡３２〜３８に収容する際に折り曲げを容易にするための多数のスリット４８，４９が形成されている。各スリット４８又は４９は、細長いブロック体２７又は２８の左右幅方向に延びるように形成され、かつ、細長いブロック体２７又は２８の長手方向に所定間隔を置いて形成されている。各スリット４８又は４９は、第１補強用リブ４５又は第２補強用リブ４６に対応するように形成されている。また、各スリット４８又は４９は、第１補強用リブ４５又は第２補強用リブ４６に係止する第１スリット４８Ａ又は４９Ａと、第１補強用リブ４５又は第２補強用リブ４６に係止しない第２スリット４８Ｂ又は４９Ｂとを備えている。
【００４０】
換言すれば、第１スリット４８Ａ又は４９Ａが第１補強用リブ４５又は第２補強用リブ４６に係止するように、第１スリット４８Ａ又は４９Ａの細長いブロック体の長手方向における寸法が第１補強用リブ４５又は第２補強用リブ４６の細長いブロック体の長手方向における寸法よりも僅かに大きな寸法に構成されている。具体的には、図７（ａ），（ｂ）に示すように、一方の第１細長いブロック体の第１スリット４８Ａが、断面が縦長の長方形状の第１補強用リブ４５よりも僅かに大きな縦長の台形状の空間が形成されるスリットに形成され、第１スリット４８Ａが第１補強用リブ４５に入り込んで第１スリット４８Ａの上端部と第１補強用リブ４５の上端部とが係止する。また、第１細長いブロック体２７の第２スリット４８Ｂが、長手方向に大きな寸法を有する断面が横長の（断熱体２７の長手方向に長い）長方形状の角型部分４８ｂと角型部分４８ｂの上端から上方に延びる台形状の台形部分４８ｃとからなり、第２スリット４８Ｂが第１補強用リブ４５を覆うだけで第１補強用リブ４５に係止しない。他方の第２細長いブロック体２８の第１スリット４９Ａが、断面が縦長の長方形状の第２補強用リブ４６よりも僅かに大きな台形状の空間が形成されるスリットに形成され、第１スリット４９Ａが第２補強用リブ４６に入り込んで第１スリット４９Ａの上端部の狭い空間が第２補強用リブ４６の上端部に係止する。また、第２細長いブロック体２８の第２スリット４９Ｂが、長手方向に大きな寸法を有する断面が横長の（断熱体２８の長手方向に長い）長方形状の角型部分４９ｂと角型部分４９ｂの上端から上方に延びる台形状の台形部分４９ｃとからなり、第２補強用リブ４６よりも遥かに大きな形状に形成され、第２スリット４９Ｂが第２補強用リブ４６を覆うだけで第２補強用リブ４６に係止しない。これら第１スリット４８Ａ又は４９Ａと第２スリット４８Ｂ又は４９Ｂとが、第１細長いブロック体２７又は第２細長いブロック体２８の長手方向において交互に備えている。尚、図６において、右から９番目の第２スリット４９Ｂの角型部分４９ｂが長手方向に他の第２スリット４９Ｂの角型部分４９ｂよりも大きな寸法になっている。
【００４１】
従って、第１細長いブロック体２７（又は第２細長いブロック体２８）が、スリット４８（又はスリット４９）を備えることによって、第１細長いブロック体２７又は第２細長いブロック体２８を枡３２〜３８に収容する際に、第１細長いブロック体２７（又は第２細長いブロック体２８）がスリット４８（又はスリット４９）で折り曲げられてしなることができる（図２（ｂ）と同様であるため、図示していない）。よって、第１細長いブロック体２７又は第２細長いブロック体２８にヒビや割れ等が発生し難く、枡３９〜４４に良好に収容することができる。
【００４２】
また、第１細長いブロック体２７又は第２細長いブロック体２８を枡３９〜４４に収容すると、第１スリット４８Ａ又は４９Ａが、第１補強用リブ４５又は第２補強用リブ４６に係止することによって、細長い第１細長いブロック体２７又は第２細長いブロック体２８を型枠２９に確実に保持させることができる。また、第１細長いブロック体２７又は第２細長いブロック体２８を枡３９〜４４に収容する際に、第２スリット４８Ｂ又は４９Ｂが第１補強用リブ４５又は第２補強用リブ４６に係止することがないから、第１細長いブロック体２７又は第２細長いブロック体２８を枡３９〜４４にスムーズに収容することができる。更に、第１スリット４８Ａ又は４９Ａと第２スリット４８Ｂ又は４９Ｂとを、第１細長いブロック体２７又は第２細長いブロック体２８の長手方向において交互に備えることによって、第１スリット４８Ａ又は４９Ａと第１補強用リブ４５又は第２補強用リブ４６との係止により第１細長いブロック体２７又は第２細長いブロック体２８を確実に型枠２９に保持させながらも、第１細長いブロック体２７又は第２細長いブロック体２８を枡３９〜４４にスムーズに収容することができる。
【００４３】
また、第２細長いブロック体２８の底部の左右中央部に、長手方向に連続する凹溝２８Ｍが形成されており、第２細長いブロック体２８の軽量化を図ることができる。また、第２細長いブロック体２８の底部に凹溝２８Ｍを形成することによって、平板部３０の上面に断熱体の長手方向に沿って突出形成されているリブ５０，５１（図５、図８参照）を凹溝２８Ｍ内に収容して第２細長いブロック体２８の底部がリブ５０，５１に当接することを回避できる。
【００４４】
尚、本発明は、上記２つの実施形態に限定されるものではなく、本発明の要旨を逸脱しない範囲で種々の変更が可能である。
【００４５】
前記第二実施形態では、第２細長いブロック体２８の底部に凹溝２８Ｍを形成したが、凹溝を省略し、第２細長いブロック体２８の底部をフラットに形成してもよい。
【００４６】
また、前記第一及び第二実施形態では、第１細長いブロック体１，２７を断面が三角形状に構成したが、台形状や階段状などどのような形状に構成してもよい。つまり、取付孔Ｈへのフックボルト及びクリップの挿入を許容できる形状であれば、第１細長いブロック体の形状は自由に変更できる。
【００４７】
また、前記第一及び第二実施形態で示した発泡性断熱体の数や大きさ等は、型枠に合わせて変更することができる。
【符号の説明】
【００４８】
１，２，２７，２８…発泡性断熱体、１Ａ，２Ａ…両端部分（外側部分）、１Ｂ，２Ｂ…本体部（内側部分）、１Ｒ…傾斜面、１Ｓ…傾斜面、１Ｔ…上端部、１ｂ…内側端面、１Ｒ，２Ｒ…傾斜面、３，２９…型枠、４，３０…平板部、４ａ…コンクリート打設面、４ｂ…背面、５，３１…周縁リブ、５Ａ…上側リブ、５Ｃ…左側リブ、５Ｄ…右側リブ、６〜１４…枡、１５〜２２…仕切用リブ、２３，２４…補強用リブ、２３Ａ…一端部分、２３Ｂ…他端部分、２３Ｃ…中間部分、２４Ａ…両端部分、２４Ｂ…中間部分、２５，２６…スリット、２６ｂ…角型部分、２６ｃ…台形部分、３２〜３８…枡、３９〜４４…仕切用リブ、４５〜４７…補強用リブ、４８，４９…スリット、５０，５１…リブ、Ｈ…取付孔、Ｋ…クリップ、Ｍ…スペース、Ｎ１，Ｎ２…隙間
【図１】
2015194026.tif 000003
【図２】
2015194026.tif 000004
【図３】
2015194026.tif 000005
【図４】
2015194026.tif 000006
【図５】
2015194026.tif 000007
【図６】
2015194026.tif 000008
【図７】
2015194026.tif 000009
【図８】
2015194026.tif 000010